(57)【特許請求の範囲】
【請求項１】
一面に接着面が形成された巻取ロールテープを用いて汚染物質が除去できるようにするテープクリーナーであって、
汚染物質がくっつく接着面テープが多重に巻き取られた円筒形状の巻取ロールテープと、
前記巻取ロールテープが挿設されて回動可能に回動軸が備えられた回動ローラーと、
前記回動ローラーに固定された前記巻取ロールテープが内部に収納され、前記巻取ロールテープから解ける前記接着面テープをその外部面で覆いかぶせて接着面が外部に露出するようにする円筒形状のホコリ除去手段と、を含んで構成され、かつ、
前記ホコリ除去手段にはその内部に収納格納された前記巻取ロールテープから前記接着面テープを解いて取り出すことができるように長手方向に沿って狭く切欠されて形成されたスロット切取口が備えられ、
前記ホコリ除去手段の外周面には互いに対向する２つの‘コ’字形状の嵌合溝が形成され、前記嵌合溝には前記接着面テープの端部を引っ張って前記ホコリ除去手段の外周面に一回り巻いて、これを固定させることができるようにするテープ接着支持具がさらに挿設具備され、
前記嵌合溝の一側ラウンド部には前記テープ接着支持具の端部が滑りながら挿入できるようにする傾斜面がさらに形成具備されてなされたことを特徴とする、接着面の使用と保管が簡便なテープクリーナー。
【請求項２】
前記ホコリ除去手段は、一側断面部にはその中央部に前記回動ローラーの一端部が挿設できるように第１設置孔が形成された閉鎖部が備えられ、他端部にもその中央部に前記回動ローラーの他端部が挿設できるように第２設置孔が形成された閉鎖部が備えられ、前記ホコリ除去手段の円周外周面の両端部には段部がさらに形成具備されてなされたことを特徴とする、請求項１に記載の接着面の使用と保管が簡便なテープクリーナー。
【請求項３】
前記回動軸の端部側に備えられて前記回動ローラーを回動させることができるようにする作動取っ手がさらに備えられてなされたことを特徴とする、請求項１に記載の接着面の使用と保管が簡便なテープクリーナー。
【請求項４】
前記スロット切取口の中央部には前記巻取ロールテープに巻かれた前記接着面テープの開始部を容易に取って解くことができるようにした凹溝がさらに形成具備されてなされたことを特徴とする、請求項１に記載の接着面の使用と保管が簡便なテープクリーナー。
【請求項５】
前記スロット切取口は円筒形状の前記ホコリ除去手段の胴体の円周方向に沿って一定間隔で多数個が形成具備されたことを特徴とする、請求項３に記載の接着面の使用と保管が簡便なテープクリーナー。
【請求項６】
前記巻取ロールテープに巻き取られる前記接着面テープに形成された接着面は内部側に形成されるようにし、前記接着面テープの端部には一定部分に接着面が形成されないようになった非接着領域部がさらに形成具備されてなされたことを特徴とする、請求項１に記載の接着面の使用と保管が簡便なテープクリーナー。
【請求項７】
前記ホコリ除去手段には一側面部に前記回動ローラーが挿設される第１設置孔が形成された閉鎖部が備えられ、他側面部に第２設置孔が形成された閉鎖部が備えられるようにし、かつ、
前記ホコリ除去手段の円筒部の外周面には長手方向に沿って一端部から他端部まで切欠されて、その上半部及び下半部の開閉を可能にする開閉部が形成具備され、前記開閉部と対向する向い側にはその開閉が容易になされることができるようにするヒンジ部が形成具備されてなされたことを特徴とする、請求項１に記載の接着面の使用と保管が簡便なテープクリーナー。
【請求項８】
前記回動ローラーにはその一側面で前記ホコリ除去手段の外部側に挿設または固定される第１突起バンドと前記ホコリ除去手段の内部側に挿設または固定されて前記巻取ロールテープを支持させることができるようにする第２突起バンドがさらに備えられてなされたことを特徴とする、請求項７に記載の接着面の使用と保管が簡便なテープクリーナー。
【請求項９】
前記回動ローラーにはその中央部に挿設される前記回動軸と並べて長手方向に沿ってスロット溝が形成され、前記スロット溝には前記接着面テープの端部を引っ張って前記ホコリ除去手段の外周面に一回り巻いて、その端部に脱付着して、これを固定できるようにする第２テープ接着支持具が挿設具備され、
前記第２テープ接着支持具にはその中間部に長手方向に沿って一定の間隔で長溝が多数個形成具備されてなされたことを特徴とする、請求項８に記載の接着面の使用と保管が簡便なテープクリーナー。
【請求項１０】
前記開閉部には掛止具と係止具とからなる掛止手段がさらに備えられてなされたことを特徴とする、請求項７に記載の接着面の使用と保管が簡便なテープクリーナー。
【請求項１１】
前記テープ接着支持具はその長手方向に沿って半分を区画して両側が互いに対比される色合いや形態に形成具備されてなされたことを特徴とする、請求項１に記載の接着面の使用と保管が簡便なテープクリーナー。
【発明の詳細な説明】
【技術分野】
【０００１】
本発明は、ロール（roll）形態になりながら多重に巻き取られている接着テープを用いてホコリなどが除去できるようにするテープクリーナー（tape cleaner）に関し、より詳しくは、巻き取られる接着テープに切取部を備えないながらテープの接着面を外部側でない内部側に備える巻取ロールテープを構成して、その外側には巻取ロールテープを保護すると共に、接着テープ面を巻き取って髪の毛やホコリなどを容易に接着除去できるように円筒形ホコリ除去手段を有する接着面の使用と保管が簡便なテープクリーナーに関する。
【背景技術】
【０００２】
一般に、衣類やカーベットなどの織物の場合、使用中に静電気の発生、汚染物質との接触などにより表面には多量の汚染物質がくっつくようになる。
【０００３】
このように、衣類やカーベット、ソファー及び車両のシートに付いている各種汚染物質を取り外すために慣用的に用いられる方法のうちの１つがロール形態に巻き取られている接着テープを所定長さだけ切断し、切断されたテープの接着面をホコリが付いている一定位置に接触させてホコリを除去することであった。ところが、このような方法は、使用者が刀やはさみなどの切断手段により接着テープを切断して使用しなければならないので、多い不便性があった。
【０００４】
したがって、従来には上記のような問題を解決するためのものであって、図６に示すように、巻き取られたロール形態になって、カーベットまたは寝台などの表面に落ちた髪の毛などの汚染物質を容易に除去（清掃）するテープクリーナーが公知されている。
【０００５】
従来の上記テープクリーナー５０は、支持ブラケット５１と取っ手５２を備えて回転可能な回転ローラー５３と、上記回転ローラー５３に挿設されながら多重に巻き取られた接着テープ５４、５４’で構成されている。
【０００６】
そして上記接着テープ５４、５４'はホコリなどがくっつく接着面が外部側に形成されており、また上記接着テープ５４、５４'を一定間隔で切って新たな接着面を使用することができるようにする切取部（切取ライン）５５が備えられている。
【０００７】
上記のような従来のテープクリーナー５０は、上記取っ手５２を用いて上記接着テープ５４、５４'が備えられた回転ローラー５３を回転させながら上記接着テープ５４、５４'の接着面に髪の毛やホコリなどをくっつくようにして簡単に清掃できるようになる。
【先行技術文献】
【特許文献】
【０００８】
【特許文献１】ＫＲ １０−１１０１２２８（登録番号）２０１１．１２．２６．
【特許文献２】ＫＲ １０−１０３１９６８（登録番号）２０１１．０４．２１．
【特許文献３】ＫＲ ２０−０１７８７２２（登録番号）２０００．０２．０３．
【発明の概要】
【発明が解決しようとする課題】
【０００９】
上記のような構造でなされた従来のテープクリーナーは、汚染物質の接着面を使用してからテープを剥き出す時にテープがよく剥けないとか、多数枚ずつ剥けることが頻繁に発生して、使用上の不便性とテープの損失をもたらす場合がある。
【００１０】
また、テープの接着面が外部側に直接露出しているので、接着物質（溶剤）が臭い、接着面の成分が速く空気中に揮発して汚染物質を接着するクリーニング性能が急速に落ちる原因となり、繰り返して多数回使用時、完全に接着機能が喪失される問題があった。
【００１１】
また、テープクリーナーを使用した後、これを保管する場合において、汚染物質が付いている接着テープ面がそのまま露出して衛生上、不潔な状態に置かれたり、別途の分離されたケースなどに嵌めて保管しなければならないという不便性があった。
【００１２】
そして、別途に分離された保管ケースはテープクリーナーとは別に離れているので、紛失されるか、使用上、多い不便性をもたらすようになる。
【００１３】
ここに、本発明は上記のような問題を解決するために案出したものであって、取っ手の端部に回転可能な回動ローラーを備えて上記回動ローラーに多重のロール形態になりながら接着面が内側に形成されるように巻き取られた円筒形接着テープ手段を挿設し、上記円筒形接着テープ手段の外側には巻取ロールテープを保護すると共に、接着テープ面が外側に露出するように巻き取って、これをローリングさせながら髪の毛やホコリなどを容易に接着させて除去（清掃）できるようにする円筒形ホコリ除去手段が備えられた接着面の使用と保管が簡便なテープクリーナーを提供することをその目的とする。
【課題を解決するための手段】
【００１４】
本発明は一面に接着面が形成された巻取ロールテープを用いて汚染物質が除去できるようにするテープクリーナーにおいて、汚染物質がくっつく接着面テープ１１１が多重に巻き取られた円筒形状の巻取ロールテープ１１０と、上記巻取ロールテープ１１０が挿設されて回動可能に回動軸１２１が備えられた回動ローラー１２０と、上記回動ローラー１２０に固定された上記巻取ロールテープ１１０が内部に収納され、上記巻取ロールテープ１１０から解ける上記接着面テープ１１１をその外部面で覆いかぶせて接着面が外部に露出するようにする円筒形状のホコリ除去手段１４０と、を含んで構成され、かつ上記ホコリ除去手段１４０にはその内部に収納格納された上記巻取ロールテープ１１０から上記接着面テープ１１１を解いて取り出すことができるように長手方向に沿って狭く切欠されて形成されたスロット切取口１４４が備えられたことを特徴とする。
【発明の効果】
【００１５】
したがって、本発明に従う接着面の使用と保管が簡便なテープクリーナーは、回動ローラーに備えられた円筒形の接着テープ手段が円筒形ホコリ除去手段の内側に挿設具備されているので、テープがよく剥けて使用しやすく、一回に多数枚ずつ剥けたり裂けることを防止してテープの浪費を減らすことができる。
【００１６】
また、テープの保管手段が１つに結合されているので、紛失のおそれがないので、活用管理が容易である。
【００１７】
また、接着テープの接着面が内側に形成されて巻き取られるようにすることで、臭いが少なく、接着成分の揮発性を抑制して接着機能が長く維持されるようにすることによって、クリーナーの機能が持続する長所がある。
【００１８】
そして、接着テープを使用した後、テープ面を容易に除去したり、または多数回使用するために、円筒形ホコリ除去手段の内側に巻き取り返して、衛生的に清潔に保管しながら反復的に多数回の使用が可能であるので、活用性と経済性が非常に向上する効果もある。
【図面の簡単な説明】
【００１９】
【図１】本発明に従う接着面の使用と保管が簡便なテープクリーナーを概略的に示す斜視状態図である。
【図２】本発明に従う接着面の使用と保管が簡便なテープクリーナーの分離状態を示す分離斜視図である。
【図３】本発明に従う接着面の使用と保管が簡便なテープクリーナーの断面状態図である。
【図４】本発明に従う接着面の使用と保管が簡便なテープクリーナーの作動を概略的に示す使用状態図である。
【図５】本発明に従う接着面の使用と保管が簡便なテープクリーナーの作動取っ手が多様に変形されて使われる状態図である。
【図６】従来のテープクリーナーに対する概略図である。
【発明を実施するための形態】
【００２０】
以下、本発明の好ましい実施形態を添付した図面を参照して当該分野で通常の知識を有する者が容易に実施できるように説明する。
【００２１】
本発明に従う接着面の使用と保管が簡便なテープクリーナー１００は、図１乃至図４に図示されているように、ホコリや髪の毛などの汚染物質をくっつくようにする接着面テープ１１１が多重に巻き取られた円筒形状の巻取ロールテープ１１０と、上記巻取ロールテープ１１０が挿設されて回動可能に回動軸１２１が備えられた円筒形状の回動ローラー１２０と、上記回動軸１２１の端部側に備えられて上記回動ローラー１２０を回動させることができるようにする作動取っ手１３０と、上記回動ローラー１２０に固定された上記巻取ロールテープ１１０が内部に収納され、上記巻取ロールテープ１１０から解ける上記接着面テープ１１１をその外部面で覆いかぶせて接着部が外部に露出するようにする円筒形状のホコリ除去手段１４０とから構成されてなされる。
【００２２】
ここで、上記巻取ロールテープ１１０はその中心部に上記接着面テープ１１１を多重に巻取させることができるようにする円筒形巻取筒１１２（別名、紙筒ともいう）が備えられているので、公知された別途の工程や方法により上記円筒形巻取筒１１２に上記接着面テープ１１１を多重に巻取させて上記巻取ロールテープ１１０が構成できるようになる。
【００２３】
そして、上記円筒形巻取筒１１２を上記回動軸１２１が備えられた上記回動ローラー１２０に挟んで設置（この場合、圧入しながら挟んで設置する）するようになれば、上記回動ローラー１２０と上記巻取ロールテープ１１０とが相互堅く挿入固定されて上記回動軸１２１を中心に回動可能になる。
【００２４】
また、この場合、上記円筒形巻取筒１１２に巻き取られる上記接着面テープ１１１は内側に汚染物質が付く接着面１１３が形成されるようにし、外部側には汚染物質などがくっつかない非接着面１１４が形成されるように構成されることが好ましいが、その反対の構成も可能である。
【００２５】
また、上記円筒形巻取筒１１２に上記接着面テープ１１１が巻き取られた端面（テープを解いてあげる開始部）の上記接着面１１３には一定部分に接着性能が発揮されないようにする非接着領域部が形成されるようにして、最初に上記接着面テープ１１１を解いてあげる時、これを容易に行うことができるようになっている。
【００２６】
そして、上記ホコリ除去手段１４０は内部が上記回動ローラー１２０に挿設された上記巻取ロールテープ１１０が収納され残るだけの余裕空間が形成された円筒形となっている。
【００２７】
上記回動ローラー１２０は円筒形状に備えられ、かつその両端部には上記回動軸１２１が挿設される軸孔が形成される閉鎖面部が形成具備されており、また上記回動ローラー１２０の中間部にはその円筒形状を支持して強化させることができるようにする紙筒固定具１２４が一定の間隔で多数個備えられている。
【００２８】
したがって、上記回動ローラー１２０は上記巻取ロールテープ１１０を挿設して堅く支持しながら回動可能になる。
【００２９】
また、上記ホコリ除去手段１４０は、一側断面部の中央部に上記回動ローラー１２０の一端部が挿設できるように第１設置孔１４１が形成された閉鎖部が備えられており、他端部にも上記回動ローラー１２０の他端部が挿設できるように第２設置孔１４３が形成された閉鎖部が備えられている。
【００３０】
また、上記ホコリ除去手段１４０にはその内部に収納格納された上記巻取ロールテープ１１０から上記接着面テープ１１１を解いて取り出すことができるように長手方向に沿って狭く切欠されて形成されたスロット切取口１４４が備えられている。
【００３１】
ここで、上記スロット切取口１４４は円筒形状の上記ホコリ除去手段１４０の胴体の円周方向に沿って一定間隔を置いて多数個が備えられるようにして構成できる（図５ｃ参照）。
【００３２】
そして、上記スロット切取口１４４の中央部には指などを使用して上記巻取ロールテープ１１０に巻き取られた上記接着面テープ１１１の端部を容易に取って解くことができるように凹溝１４５が形成具備されている。
【００３３】
そして、上記ホコリ除去手段１４０の円筒部の外周面には長手方向に一端部から他端部まで切欠されて、その上半部及び下半部の開閉を可能にする開閉部１４７が備えられ、また、上記開閉部１４７と対向する向い側にはその開閉が容易になされることができるようにするヒンジ部１４８が形成具備される構造となっている。
【００３４】
また、上記開閉部１４７にはその両側隅部に各々掛止具１４７ａと係止具１４７ｂからなる掛止手段が備えられている。
【００３５】
また、上記ホコリ除去手段１４０の円筒部の外周面の両端部には接着面テープを取り出して、その外部面に具備させる時、これを良好に行うことができるように段部１４６が形成具備されている。
【００３６】
ここで、上記ホコリ除去手段１４０の上半部の隅部に上記掛止具１４７ａが備えられれば、上記ホコリ除去手段１４０の下半部の隅部に上記係止具１４７ｂが備えられるが、その反対の構成は自明である。
【００３７】
したがって、上記掛止具１４７ａを上記係止具１４７ｂにロッキングさせれば、上記ホコリ除去手段１４０の上半部及び下半部が閉じるようになり、上記掛止具１４７ａを弾性的に押さえて上記係止具１４７ｂから離脱させた後、これを開放させることができるようになる。
【００３８】
ここで、上記掛止具１４７ａ及び上記係止具１４７ｂの設置個数は、一定の間隔で多数個設置構成することが好ましい。
【００３９】
そして、上記掛止具１４７ａ及び上記係止具１４７ｂの具体的な構成は、当業者が多様で、かつ容易に実施できる構成であればよいところ、その詳細説明は省略する。
【００４０】
また、上記ヒンジ部１４８やはり当業者が実施できる一般的な構成であって、その具体的な説明は省略する。
【００４１】
そして、上記回動ローラー１２０にはその一側面で上記ホコリ除去手段１４０の一側面閉鎖部の外部側に備えられる第１突起バンド１２２と、上記ホコリ除去手段１４０の閉鎖部の内部側に備えられる第２突起バンド１２３とが備えられている。
【００４２】
したがって、上記第１突起バンド１２２と上記第２突起バンド１２３との間に形成された間隔には、上記ホコリ除去手段１４０の側面に形成された上記第１設置孔１４１の円周隅が挿設されて上記ホコリ除去手段１４０が上記回動ローラー１２０の長手方向に沿ってスライディングされず、堅く固定できるようになる。
【００４３】
そして、上記第１突起バンド１２２と上記第２突起バンド１２３とは互いに連結させて１つのセットとして構成して、上記回動ローラー１２０に挿設固定させて構成することもでき、または各々上記回動ローラー１２０の成形時に個別的に形成されるように構成することもできる。
そして、上記ホコリ除去手段１４０の他側面には上記第２設置孔１４３を通じて上記回動ローラー１２０の他端部が挿設されるようになる。
【００４４】
そして、上記ホコリ除去手段１４０の外周面には互いに対向する２つの‘コ’字形状の嵌合溝１４２が形成されており、上記嵌合溝１４２には上記接着面テープ１１１の端部を引っ張って上記ホコリ除去手段１４０の外周面に一回り巻いて、これを固定させることができるようにするテープ接着支持具１５０が挿設具備されている。
【００４５】
ここで、上記嵌合溝１４２の一側ラウンド部には上記テープ接着支持具１５０の端部が滑りながら容易に挿入できるようにする傾斜面１４２ａが形成される構造となっている。
【００４６】
上記テープ接着支持具１５０は、上記接着面テープ１１１を解いて上記ホコリ除去手段１４０の外部面に一回りさせて巻く時、その半分は解けた上記接着面テープ１１１の端部に位置した接着面に付着し、残りの半分は上記ホコリ除去手段１４０の外部面に巻かれた接着面に付着して使用すればよい。
【００４７】
ここで、上記テープ接着支持具１５０はその半分を区画して両側が互いに対応する色合いや形態に具備して、上記接着面テープ１１１が接着される部分を容易に区分して使用できるようになっている。
【００４８】
また、上記テープ接着支持具１５０はフレキシブルな材質で薄く形成具備されることが好ましい。
【００４９】
このようにして、上記作動取っ手１３０を取って上記回動ローラー１２０を回転させれば、上記ホコリ除去手段１４０に備えられた上記接着面テープ１１１が共に回転されながら、その接着面に異質物がくっついて除去できるようになる。この際、上記テープ接着支持具１５０は上記円筒形状のホコリ除去手段１４０に付着された状態で回転される（図４参照）。
【００５０】
そして、上記ホコリ除去手段１４０に巻かれた上記接着面テープ１１１の接着面の機能が喪失された時、上記テープ接着支持具１５０を取り外してくれれば、上記接着面テープ１１１の端部が容易に取り外される。
【００５１】
また、上記テープ接着支持具１５０の使用が不要な時は、これを取り外して上記嵌合溝１４２に挿設して保管すればよい。
【００５２】
また、上記回動ローラー１２０の側面にはスロット溝１２６が上記回動ローラー１２０の内側に、その長手方向に沿って形成具備されており、上記スロット溝１２６には上記接着面テープ１１１の端部を引っ張って上記ホコリ除去手段１４０の外周面に一回り巻いて、これを固定させることができるようにする第２テープ接着支持具１６０が挿設具備されている。
【００５３】
ここで、上記第２テープ接着支持具１６０は上記テープ接着支持具１５０とその機能が同一である。
【００５４】
そして、上記第２テープ接着支持具１６０はその中間部に長手方向に沿って一定の間隔で長溝１６１が形成具備されている。これは、上記接着面テープ１１１の接着面の端部を上記長溝１６１まで貼るようになれば、概略的に半分位貼るようになることを容易に認識できるようにするためのものである。
【００５５】
また、上記第２テープ接着支持具１６０はフレキシブルな材質からなり、かつ上記ホコリ除去手段１４０の外周面に容易に付着できるように若干屈曲するように形成することが好ましい。
【００５６】
そして、上記作動取っ手１３０は上記回動軸１２１と連結される構造であって、図５に図示しているように、上記回動軸１２１を延長して、これを概略的なＰ形状に屈曲させて構成される形態（図１参照）と、上記回動軸１２１を上記回動ローラー１２０の長手方向に延長して一直線で構成される形態（図５ｃ）、及び上記回動軸１２１に‘Ｕ’字形状の連結部を具備し、取っ手を有するように構成される形態（これをヨーク（Yoke）形態（図５ａ）という）などで構成できるところ、これは使用環境によって非常に多様に実施できる。
【００５７】
ここで、上記ヨーク形態においては、上記第１及び第２突起バンド１２２、１２３が上記回動ローラー１２０の他側端部にも設置具備されている（図５ｂ参照）。
【００５８】
上記のように構成された本発明の実施形態である上記接着面の使用と保管が簡便なテープクリーナー１００を用いて、衣類やカーベット、ソファー、及び車両のシートなどに付いている各種の汚染物質を取り外すための作動状態を説明すると、次の通りである。
【００５９】
まず、上記開閉部１４７を開けて上記回動ローラー１２０に挟んで設置された上記巻取ロールテープ１１０を上記ホコリ除去手段１４０の内部に収納設置し、上記開閉部１４７を閉じる。この際、上記第１及び第２突起バンド１２２、１２３の間に上記第１設置孔１４１の円周隅が挿設されて上記ホコリ除去手段１４０が上記回動ローラー１２０の長手方向に沿ってスライディングされないようにする。
【００６０】
そして、上記ホコリ除去手段１４０に形成された上記スロット切取口１４４を通じて上記接着面テープ１１１を引いて解いて上げる。
【００６１】
次に、上記テープ接着支持具１５０を抜いて上記接着面テープ１１１の端部に形成された接着面に半分位付着させる。
【００６２】
そして、上記テープ接着支持具１５０が貼られた状態で上記接着面テープ１１１をさらに引っ張って上記ホコリ除去手段１４０の外周面に一回りさせた後、上記テープ接着支持具１５０の残りの半分を上記ホコリ除去手段１４０の外周面に備えられている接着面１１３に貼ればよい。
【００６３】
このようにすれば、上記テープ接着支持具１５０を用いて上記接着面テープ１１１を上記ホコリ除去手段１４０の外周面に一回りさせて巻いてくれるようになる。
【００６４】
このように進行した後、上記作動取っ手１３０を用いて上記回動ローラー１２０を回動させながら服などに付いている異質物が除去できるようになる。
【００６５】
そして、上記第２テープ接着支持具１６０も上記回動ローラー１２０の側面に備えられた上記スロット溝１２６から抜いて上記テープ接着支持具１５０と同一な方法により実施して使用することができる。
【００６６】
以上のように、本発明は取っ手の端部に回転可能な回動ローラーを備えて上記回動ローラーに多重のロール形態になりながら接着面が内側に形成されるように巻き取られた円筒形の接着テープ手段を挿設し、上記接着テープ手段の外側に巻取ロールテープを保護収納する円筒形のホコリ除去手段を設置具備することによって、接着テープの接着面をローリングさせながら髪の毛やホコリなどを容易に接着させてこれらを簡便に除去できるようになる。
【符号の説明】
【００６７】
１００    接着面の使用と保管が簡便なテープクリーナー
１１０    巻取ロールテープ
１１１    接着面テープ
１１２    中心棒
１１３    接着面
１２０    回動ローラー
１２１    回動軸
１２２    第１突起バンド
１２３    第２突起バンド
１２４    紙筒固定具
１２６    スロット溝
１３０    作動取っ手
１４０    ホコリ除去手段
１４１    第１設置孔
１４２    嵌合溝
１４３    第２設置孔
１４４    スロット切取口
１４５    凹溝
１４６    段部
１４７    開閉部
１４８    ヒンジ部
１４２ａ    傾斜面
１４７ａ    掛止具
１４７ｂ    係止具
１５０    テープ接着支持具
１６０    第２テープ接着支持具
１６１    長溝
【図１】
0005720966.tif 000002
【図２】
0005720966.tif 000003
【図３】
0005720966.tif 000004
【図４】
0005720966.tif 000005
【図５】
0005720966.tif 000006
【図６】
0005720966.tif 000007